(57)【要約】【課題】  ユーザーの利便性向上を図りながら消費電力の抑制効果を向上することが可能な画像形成装置を提供する。【解決手段】選択的な操作入力を行わせて異なる機能による処理に向けた動作を可能とする複数の操作入力部３ａ〜３ｆと、操作入力後に１又は複数が動作することで異なる機能による処理を行う複数の動作部５ａ，５ｂと、複数の動作部５ａ，５ｂに対して省エネモードにすると共に省エネモードから復帰させる省エネ制御を行う省エネ制御部９とを備え、省エネ制御部９は、省エネモード中の操作入力（トリガー操作）が複数の機能に共通する場合にトリガー操作の次に続く動作に必要な動作部５ａ，５ｂのみを復帰させ、省エネモード中のトリガー操作が特定の機能に対するものであることが明確になった時点で特定の機能に必要な動作部５ａ，５ｂを復帰させる部分復帰モードを有する。【選択図】図１
2014049827.tif 000002
【特許請求の範囲】
【請求項１】
選択的な操作入力を行わせて異なる機能による処理に向けた動作を可能とする複数の操作入力部と、
前記操作入力後に１又は複数が動作することで前記異なる機能による処理を行う複数の動作部と、
前記複数の動作部に対して省エネモードにすると共に前記省エネモードから復帰させる省エネ制御を行う省エネ制御部とを備え、
前記省エネ制御部は、前記省エネモード中の前記操作入力が複数の機能に共通する場合に前記操作入力の次に続く動作に必要な動作部のみを復帰させ、前記省エネモード中の前記操作入力が特定の機能に対するものであることが明確になった時点で前記特定の機能に必要な動作部を復帰させる部分復帰モードを有する、
ことを特徴とする画像形成装置。
【請求項２】
請求項１記載の画像形成装置であって、
前記省エネ制御部に対して前記省エネモードからの復帰モードを切り替える復帰モード切替部を備え、
前記復帰モードは、前記部分復帰モードに加えて、何れの操作入力によっても全ての動作部を復帰させる全復帰モードと、前記全復帰モード及び部分復帰モードを併用し前記操作入力以外の特定操作に限って前記全復帰モードによる復帰を行う複合復帰モードとを含む、
ことを特徴とする画像形成装置。
【請求項３】
選択的な操作入力を行わせて異なる機能による処理に向けた動作を可能とする複数の操作入力部と、前記操作入力後に１又は複数が動作することで前記異なる機能による処理を行う複数の動作部とを有する画像形成装置に対する省エネ制御プログラムであって、
前記複数の動作部に対して省エネモードにすると共に前記省エネモードから復帰させる省エネ制御を行う省エネ制御手順をコンピューターに実行させ、
前記省エネ制御手順は、前記省エネモード中の前記操作入力が複数の機能に共通する場合に前記操作入力の次に続く動作に必要な動作部のみを復帰させ、前記省エネモード中の前記操作入力が特定の機能に対するものであることが明確になった時点で前記特定の機能に必要な動作部を復帰させる部分復帰モードを有する、
ことを特徴とする省エネ制御プログラム。
【請求項４】
請求項３記載の省エネ制御プログラムであって、
前記省エネ制御手順に対して前記省エネモードからの復帰モードを切り替える復帰モード切替手順をコンピューターに実行させ、
前記復帰モードは、前記部分復帰モードに加えて、何れの操作入力によっても全ての動作部を復帰させる全復帰モードと、前記全復帰モード及び部分復帰モードを併用し前記操作入力以外の特定操作に限って前記全復帰モードによる復帰を行う複合復帰モードとを含む、
ことを特徴とする省エネ制御プログラム。
【発明の詳細な説明】
【技術分野】
【０００１】
本発明は、省エネモードを有する画像形成装置及び省エネ制御プログラムに関する。
【背景技術】
【０００２】
近年のデジタル複合機等の画像形成装置においては、省エネモード（省電力モード）を備えることが多くなっている。省エネモードでは、例えばスキャナーやプリントエンジン等の動作部への給電が遮断され、余計な消費電力を抑えることができる。
【０００３】
省エネモードとなった後は、例えば特許文献１のように、原稿がセットされた際等に全ての動作部を復帰させることで処理動作を行うことができるようになる。
【０００４】
この技術では、原稿をセットするだけで動作部を復帰させることができるので、ユーザーにとって利便性が高い。
【０００５】
ところが、デジタル複合機等は、コピー機能、スキャナ機能、プリント機能等のように各種の機能を有しており、それらの機能によっては、全ての動作部を復帰させることが必ずしも必要ではない。
【０００６】
このため、上記技術では、不要な動作部が復帰するおそれがあり、消費電力の抑制に限界があった。
【０００７】
これに対し、例えば特許文献２のように、機能毎に設けたボタンを選択させ、選択された機能に必要な動作部だけを省エネモードから復帰させるものがある。
【０００８】
この技術では、機能に必要な動作部のみを復帰させるので、消費電力の抑制効果を向上することができる。
【０００９】
しかし、機能毎に設けられたボタンを選択しない限り省エネモードからの復帰が行われないので、ユーザーの利便性に欠けるという問題がある。
【先行技術文献】
【特許文献】
【００１０】
【特許文献１】特開平１１−２５２２８９号公報
【特許文献２】特開２００４−２２２２３４号公報
【発明の概要】
【発明が解決しようとする課題】
【００１１】
発明が解決しようとする課題は、ユーザーの利便性向上を図りながら消費電力の抑制効果を向上できなかった点である。
【課題を解決するための手段】
【００１２】
本発明は、ユーザーの利便性向上を図りながら消費電力の抑制効果を向上するために、選択的な操作入力を行わせて異なる機能による処理に向けた動作を可能とする複数の操作入力部と、前記操作入力後に１又は複数が動作することで前記異なる機能による処理を行う複数の動作部と、前記複数の動作部に対して省エネモードにすると共に前記省エネモードから復帰させる省エネ制御を行う省エネ制御部とを備え、前記省エネ制御部は、前記省エネモード中の前記操作入力が複数の機能に共通する場合に前記操作入力の次に続く動作に必要な動作部のみを復帰させ、前記省エネモード中の前記操作入力が特定の機能に対するものであることが明確になった時点で前記特定の機能に必要な動作部を復帰させる部分復帰モードを有することを最も主要な特徴とする。
【発明の効果】
【００１３】
本発明によれば、操作入力の次に続く動作部のみを復帰させることにより、ユーザーの利便性向上を図りながら消費電力の抑制効果を向上することができる。
【００１４】
また、操作入力が特定の機能に対するものであることが明確になった時点で、その特定の機能に必要な動作部を復帰させることで処理を正常に完了することができる。
【図面の簡単な説明】
【００１５】
【図１】画像形成装置を示すブロック図である（実施例１）。
【図２】省エネ制御処理を示すフローチャートである（実施例１）。
【図３】トリガー操作と動作部の復帰要否との対応関係を示す図表である（実施例１）。
【図４】省エネ制御処理による動作部の復帰を示す概念図である（実施例１）。
【図５】画像形成装置を示すブロック図である（実施例２）。
【発明を実施するための形態】
【００１６】
ユーザーの利便性向上を図りながら消費電力の抑制効果を向上するという目的を、省エネモード中の操作入力が複数の機能に共通する場合に操作入力の次に続く動作に必要な動作部のみを復帰させ、省エネモード中の操作入力が特定の機能に対するものであることが明確になった時点で特定の機能に必要な動作部を復帰させる部分復帰モードによって実現した。
【実施例１】
【００１７】
図１は、画像形成装置を示すブロック図である。
【００１８】
図１の画像形成装置１は、例えば省エネモード（省電力モード）を有するデジタル複合機からなり、コピー機能（複写機能）、スキャナー機能、プリント機能（印刷機能）、ＦＡＸ機能等の異なる複数の機能を有している。
【００１９】
この画像形成装置１は、複数の操作入力部として原稿カバー３ａ、原稿送り装置３ｂ、外部インターフェース３ｃ、ネットワークインターフェース３ｄ、ＩＣカードリーダー３ｅ、コインベンダー３ｆ等を備え、それらを通じた選択的な操作入力をユーザーに行わせて異なる機能による動作を可能とする。なお、原稿送り装置３ｂ、原稿カバー３ａ、外部インターフェース３ｃ、ネットワークインターフェース３ｄ、ＩＣカードリーダー３ｅ、コインベンダー３ｆは、操作入力部３ａ〜３ｆと称することもある。
【００２０】
原稿カバー３ａは、原稿台上で開閉され文書等の原稿を読み取りのために押さえる。原稿送り装置３ｂは、セットされた複数の原稿を読み取りのために順次送る。
【００２１】
外部インターフェース３ｃは、外部装置を接続させるＵＳＢ等からなり、接続された外部装置に対するデータの送受信を行う。ネットワークインターフェース３ｄは、ネットワークを介して外部装置を接続させてデータの送受信を行う。
【００２２】
本実施例では、外部インターフェース３ｃやネットワークインターフェース３ｄを介してプリント指示、スキャナー指示、ＦＡＸ送信指示等が行われる。
【００２３】
ＩＣカードリーダー３ｅは、ＩＣカードの読取を行ってユーザーの認証情報等を入力させる。コインベンダー３ｆは、画像形成装置１を使用可能とするために硬貨を投入させるものであり、画像形成装置１の使用に対して課金を行う店舗等に設置する際に設けられる。
【００２４】
本実施例の画像形成装置１は、異なる機能による処理動作を行うために、複数の動作部としてスキャナー５ａ及びプリントエンジン５ｂを備えている。なお、スキャナー５ａ及びプリントエンジン５ｂは、それぞれ動作部５ａ，５ｂと称することもある。
【００２５】
スキャナー５ａは、原稿カバー３ａによって押さえられ或いは原稿送り装置３ｂから送られた原稿を読み取って画像データを生成する。このスキャナー５ａは、コピー機能、スキャナー機能、ＦＡＸ機能等に用いられる。
【００２６】
プリントエンジン５ｂは、スキャナー５ａによる画像データ又は外部インターフェース３ｃやネットワークインターフェース３ｄを介して入力された画像データに基づいて用紙上に画像を形成する。このプリントエンジン５ｂは、コピー機能、プリント機能、ＦＡＸ機能等に用いられる。
【００２７】
上記構成の画像形成装置１は、制御部７によって各部の制御が行われる。制御部７は、情報処理機能を有するコンピューターであり、ＣＰＵ（Central Processing Unit）、ＲＯＭ（Read Only Memory）及びＲＡＭ（Random Access Memory）を備える。
【００２８】
ＣＰＵは、プログラムを実行して上記各部の制御や作業を行わせる制御要素（演算装置）である。ＲＯＭは、プログラム等を記憶するメモリである。ＲＡＭは、プログラムを実行する際にそのプログラムや各種データを一時的に記憶して、作業領域等として用いるメモリである。
【００２９】
本実施例の制御部７は、省エネ制御プログラムを実行することで、省エネ制御部９として機能する。省エネ制御部９は、省エネ制御手順を実現するものであり、省エネ移行部１１と、操作入力検出部１３と、要否判断部１５と、省エネ復帰部１７とを備える。
【００３０】
省エネ移行部１１は、画像形成装置１が所定時間動作しない場合等に、動作部５ａ，５ｂへの給電を遮断して省エネモードへ移行させる。
【００３１】
操作入力検出部１３は、省エネモード中に操作入力部３ａ〜３ｆを介したユーザーの操作入力を、省エネモードからの復帰のためのトリガー操作として検出する。
【００３２】
要否判断部１５は、トリガー操作に応じて、動作部５ａ，５ｂの省エネモードからの復帰の要否を判断する。この要否判断では、省エネモード中のトリガー操作が複数の機能に共通する場合に、トリガー操作の次に続く動作に必要な動作部５ａ及び５ｂの何れか一方又は双方を「復帰要」と判断する。
【００３３】
また、省エネモード中のトリガー操作が特定の機能に対するものであることが明確になった時点では、特定の機能に必要な動作部５ａ，５ｂを「復帰要」と判断する。
【００３４】
省エネ復帰部１７は、復帰要と判断された動作部５ａ，５ｂを給電により省エネモードから復帰させる。
［省エネ制御処理］
図２は、省エネ制御処理を示すフローチャートである。本実施例の省エネ制御処理では、画像形成装置１が省エネモードに移行することでスタートし、図２のステップＳ１以降の処理が行われる。
【００３５】
ステップＳ１では、「トリガー操作有り？」の処理が行われる。すなわち、省エネ制御部９の操作入力検出部１３は、操作入力部３ａ〜３ｆによるトリガー操作の有無を判断する。
【００３６】
本実施例では、原稿カバー３ａの開閉、原稿送り装置３ｂへの原稿セット、ＩＣカードリーダー３ｅでＩＣカードの読み取り、コインベンダー３ｆへの硬貨の投入、或いは外部インターフェース３ｃ又はネットワークインターフェース３ｄを介したプリント指示、スキャン指示、ＦＡＸ送信指示等をトリガー操作入力として検出する。
【００３７】
なお、トリガー操作入力の検出は、原稿カバー３ａ、原稿送り装置３ｂ、ＩＣカードリーダー３ｅ、コインベンダー３ｆに設けられたセンサーの信号や外部インターフェース３ｃ又はネットワークインターフェース３ｄを介したデータ受信により行うことができる。
【００３８】
トリガー操作が有ったときは（ＹＥＳ）、ステップＳ２へ移行し、トリガー操作が無い限りは（ＮＯ）、ステップＳ１の処理を繰り返す。
【００３９】
ステップＳ２以降では、図３の要否テーブルを用いた復帰要否判断を行いながら必要な動作部５ａ，５ｂを復帰させていく。
【００４０】
図３では、トリガー操作と動作部５ａ，５ｂの復帰要否との対応関係を示している。なお、図３のトリガー操作は一例であり、他の操作入力をトリガー操作に含めることも可能である。
【００４１】
図３において、「ＤＰ原稿セット」、「原稿マット開閉」、「コインベンダーコイン投入」、「ＩＣカードタッチ」は、複数の機能に共通して行われるトリガー操作を示している。
【００４２】
「ＤＰ原稿セット」及び「原稿マット開閉」は、それぞれ原稿送り装置３ｂへの原稿セット及び原稿カバー３ａの開閉であり、コピー機能、スキャナー機能、ＦＡＸ機能の際に共通に行われるトリガー操作である。これらのトリガー操作では、次に続く動作としてスキャンが行われることになる。従って、「ＤＰ原稿セット」及び「原稿マット開閉」の場合は、動作部５ａ，５ｂの復帰の要否として、スキャナー復帰が「要」でエンジン復帰が「不要」に設定されている。
【００４３】
「コインベンダーコイン投入」及び「ＩＣカードタッチ」は、それぞれコインベンダー３ｆへの硬貨の投入及びＩＣカードリーダー３ｅでのＩＣカードの読み取りであり、画像形成装置１を使用可能とする際に行われるトリガー操作である。これらのトリガー操作は、直接的に次に続く動作が不明であるが、その目的に応じて動作部５ａ，５ｂの復帰の要否が設定されている。
【００４４】
「コインベンダーコイン投入」の場合は、画像形成装置１を店舗等で使用可能とする関係上、コピー機能が利用されることが多い。このため、「コインベンダーコイン投入」に対しては、スキャナー復帰及びエンジン復帰の双方が「要」に設定されている。
【００４５】
「ＩＣカードタッチ」の場合は、ユーザーの認証を通じて画像形成装置１の設定を行わせることが多い。このため、「ＩＣカードタッチ」に対しては、スキャナー復帰及びエンジン復帰の双方が「不要」に設定されている。
【００４６】
図３の「プリンター印刷」、「ＴＷＡＩＮ／ＷＩＡ」、「ＷＳＤスキャン」、「ＷＳＤプリント」、「ＮｅｔｗｏｒｋＦａｘ送信」は、特定の機能に対するものであることが明確なトリガー操作を示している。
【００４７】
「プリンター印刷」は、ユーザー端末（外部装置）からのプリント指示（プリントジョブ）の入力であり、プリント機能であることが明確なトリガー操作である。
【００４８】
「ＴＷＡＩＮ／ＷＩＡ」は、ＴＷＡＩＮやＷＩＡドライバがインストールされたユーザー端末からのスキャン指示（スキャンジョブ）の入力であり、スキャン機能であることが明確なトリガー操作である。
【００４９】
「ＷＳＤスキャン」は、ＷＳＤＬ機能をサポートしているＯＳ（Operating System）がインストールされたユーザー端末からのスキャン指示（スキャンジョブ）の入力、「ＷＳＤプリント」は、同プリント指示（プリントジョブ）の入力である。このため、それぞれスキャン機能及びプリント機能であることが明確なトリガー操作である。
【００５０】
「ＮｅｔｗｏｒｋＦａｘ送信」は、ユーザー端末からのネットワークＦＡＸの送信指示（ＦＡＸジョブ）の入力であり、ＦＡＸ機能であることが明確なトリガー操作である。
【００５１】
これらの「プリンター印刷」、「ＴＷＡＩＮ／ＷＩＡ」、「ＷＳＤスキャン」、「ＷＳＤプリント」、「ＮｅｔｗｏｒｋＦａｘ送信」に対しては、それぞれ機能に必要な動作部５ａ，５ｂの復帰の要否が設定されている。
【００５２】
なお、図示しない操作パネルでの機能の選択やジョブの実行指示入力も、特定の機能であることが明確なトリガー操作となる。
【００５３】
上記図３を用い、ステップＳ２では、「エンジン復帰要？」の処理が行われる。この処理では、省エネ制御部９の要否判断部１５が、トリガー操作に応じてプリントエンジン５ｂの復帰の要否を判断する。
【００５４】
エンジン復帰が必要な場合は（ＹＥＳ）、ステップＳ３へ移行し、不要な場合は（ＮＯ）、ステップＳ４へ移行する。
【００５５】
ステップＳ３では、「エンジン復帰」の処理が行われる。この処理では、省エネ制御部９の省エネ復帰部１７がプリントエンジン５ｂを給電により復帰させてステップＳ４へ移行する。
【００５６】
ステップＳ４では、「スキャナー復帰要？」の処理が行われる。この処理では、省エネ制御部９の要否判断部１５が、トリガー操作に応じてスキャナー５ａの復帰の要否を判断する。
【００５７】
スキャナー復帰が必要な場合は（ＹＥＳ）は、ステップＳ５へ移行し、不要な場合は（ＮＯ）、省エネ制御処理が終了する。
【００５８】
ステップＳ５では、「スキャナー復帰」の処理が行われる。この処理では、省エネ制御部９の省エネ復帰部１７がスキャナー５ａを給電により復帰させ、省エネ制御処理を終了させる。
【００５９】
こうして終了した省エネ制御処理は、トリガー操作が入力されるたびに行われ、各トリガー操作が複数の機能に共通する限り、トリガー操作の次に続く動作に必要な動作部５ａ及び５ｂの何れか一方又は双方を復帰させる。
【００６０】
そして、トリガー操作が特定の機能に対するものであることが明確になった時点では、特定の機能に必要な動作部５ａ，５ｂを復帰させる。
【００６１】
図４は、省エネ制御処理による動作部の復帰を示す概念図である。
【００６２】
省エネモードにおいては、図４（ａ）のように、省エネ制御部（Controller）９が稼動し、プリントエンジン（Engine）５ｂ及びスキャナー（Scanner）５ａが停止している。
【００６３】
この状態で、例えば図３の「ＤＰ原稿セット」や「原稿マット開閉」が行われると、図４（ｂ）のように次の動作に必要なスキャナー５ａが復帰し稼動する。
【００６４】
その後、例えば操作パネルでコピー実行指示がトリガー操作として行われると、コピージョブが発生してコピー機能であることが明確となる。この場合は、図４（ｃ）のように、コピー機能に必要なプリントエンジン５ｂも復帰し稼動することになる。なお、実行指示入力の前に機能選択が行われる場合は、その時点で機能が明確となる。
【００６５】
一方、当初よりプリント機能であることが明確な「プリンター印刷」や「ＷＳＤプリント」の場合は、図４（ｄ）のように、必要なプリントエンジン５ｂのみが復帰する。
【００６６】
「ＴＷＡＩＮ／ＷＩＡ」や「ＷＳＤスキャン」の場合も、図４（ｂ）のように、当初より明確なスキャナー機能に必要なスキャナー５ａのみが復帰することになる。
［実施例１の効果］
本実施例の画像形成装置１は、選択的な操作入力を行わせて異なる機能による処理に向けた動作を可能とする複数の操作入力部３ａ〜３ｆと、操作入力後に１又は複数が動作することで異なる機能による処理を行う複数の動作部５ａ，５ｂと、複数の動作部５ａ，５ｂに対して省エネモードにすると共に省エネモードから復帰させる省エネ制御を行う省エネ制御部９とを備え、省エネ制御部９は、省エネモード中の操作入力（トリガー操作）が複数の機能に共通する場合にトリガー操作の次に続く動作に必要な動作部５ａ，５ｂのみを復帰させ、省エネモード中のトリガー操作が特定の機能に対するものであることが明確になった時点で特定の機能に必要な動作部５ａ，５ｂを復帰させる部分復帰モードを有する。
【００６７】
従って、本実施例では、トリガー操作が発生したときに、その操作の次に続くデバイス（動作部５ａ，５ｂ）のみを復帰させることにより、ユーザーの利便性向上を図りながら消費電力の抑制効果を向上し且つ騒音を抑えることができる。
【００６８】
また、本実施例では、トリガー操作によってジョブが発生すると、その時点で特定の機能に対するものであることが明確となり、動作部５ａ，５ｂの復帰の要否が確定できる。
【００６９】
このため、特定の機能に必要な動作部５ａ，５ｂを復帰させて処理を正常に完了することができる。なお、トリガー操作が当初より特定の機能に対するものであることが明確な場合も同様である。
【実施例２】
【００７０】
図５は、画像形成装置を示すブロック図である。なお、本実施例では、上記実施例１と基本構成が共通するため、対応する構成部分に同符号又は同符号にＡを付したものを用いて重複した説明を省略する。
【００７１】
本実施例の画像形成装置１Ａは、省エネ制御部９に対して省エネモードからの復帰モードを切り替える復帰モード切替部１９を備えたものである。復帰モードの切替は、図示しない操作パネル等においてログインしたユーザーに行わせることができる。これにより、復帰モード切替部１９は、復帰モード切替手順を実現する。
【００７２】
選択可能な復帰モードとしては、実施例１の部分復帰モードに加えて、全復帰モード及び複合復帰モードを有する。全復帰モードは、何れのトリガー操作によっても全ての動作部５ａ，５ｂを復帰させるモードである。複合復帰モードは、全復帰モード及び部分復帰モードを併用し、トリガー操作以外の特定操作に限って全復帰モードによる復帰を行うモードである。特定操作としては、例えば電源キー操作等を採用すればよい。
【００７３】
本実施例の画像形成装置１Ａでは、上記実施例１の作用効果に加え、より利便性を向上することができる。
【００７４】
すなわち、部分復帰モードのみの場合は、全デバイス（動作部５ａ，５ｂ）を復帰して、コピー等を迅速に利用したい場合においてデメリットとなり得る。これに対し、本実施例では、復帰モード切替部１９を備えることにより、復帰時間を優先したいユーザー（全復帰モードを望むユーザー）、省電力を優先したいユーザー（部分復帰モードを望むユーザー）、双方を使い分けたいユーザーの要望を満足することができる。
［その他］
上記実施例では、動作部として消費電力や騒音が大きいスキャナー５ａ及びプリントエンジン５ｂを例にとって説明したが、操作パネルやＦＡＸコントローラー等の他のデバイスも省エネ制御対象の動作部とすることができる。
【符号の説明】
【００７５】
１  画像形成装置
３ａ〜３ｆ  操作入力部
５ａ，５ｂ  動作部
９  省エネ制御部
１９  復帰モード切替部
【図１】
2014049827.tif 000003
【図２】
2014049827.tif 000004
【図３】
2014049827.tif 000005
【図４】
2014049827.tif 000006
【図５】
2014049827.tif 000007